(57)【要約】浮き領域は、少なくとも２つの浮遊可能な建築物構成要素によって構成され、当該建築物構成要素は、三角形、四角形、五角形、六角形などの正多角形底部を備えたプリズムの形状を有し、隣接する建設要素に対するスライド取付用の、スライドダブテール及びダブテール溝と組み合わされている。 前記取付により、前記浮遊可能な建築物構成要素が互いに垂直にスライドでき、それにより、浮き領域は、波の上下の動きに追従することができる。浮遊する海洋廃棄物を、構造物、特に浮き領域に変換する方法もまた提供される。
2021531204.tif 000002
【特許請求の範囲】
【請求項１】
少なくとも２つの浮遊可能な建築物構成要素によって構成された浮き領域であって、少なくとも２つの構成要素の内の少なくとも２つは、第１の正多角形底端部と、第２の正多角形カバーと、前記底端部から前記カバー端部まで基本的に共通の方向に延びてその内の水密の区画を取り囲む壁と、を有しており、前記壁は、取付要素を含んでおり、当該取付要素は、隣接する構成要素の、隣接する相補的な取付要素に対する、スライド取付用のダブテール及びダブテール溝を備えており、前記取付要素は、それぞれ、ダブテール溝及びダブテールを備えており、前記取付要素は、相互に連結されるとき、前記浮遊可能な建築物構成要素が互いに垂直にスライドすることを可能にし、それによって、前記浮き領域を、波の上下の動きに追従させる、浮き領域。
【請求項２】
前記正多角形底部及び／又はカバーが、三角形、四角形、五角形及び六角形で構成される形態のリストの１つから選択される、請求項１に記載の浮き領域。
【請求項３】
少なくとも１つのカバーが、実質的にシームレスな表面を提供するように、前記ダブテール溝上に延びている、請求項１又は２に記載の浮き領域。
【請求項４】
前記ダブテール溝の長さが前記ダブテールの長さよりも長く、それによって、前記建築物構成要素の間での相対的なスライド運動を可能にする、所定の遊びを提供する、請求項３に記載の浮き領域。
【請求項５】
少なくとも１つのカバー端部が、取外し可能であり、ダブテール溝上に延びてその中でのダブテールの動きを制限する、請求項１に記載の浮き領域。
【請求項６】
複数の浮遊可能な建築物構成要素が、隣接する浮遊可能な建築物構成要素に対して垂直に動く自由を制限するカバーによってそれぞれ個別に覆われている、請求項１に記載の浮き領域。
【請求項７】
複数の浮遊可能な建築物構成要素が、隣接する浮遊可能な建築物構成要素にロックされて、実質的に剛性の高い表面を提供する、請求項１に記載の浮き領域。
【請求項８】
前記浮遊可能な建築物構成要素の外面は、固着を最小化するための、ボス又は隆起部分を含んでいる、請求項１に記載の浮き領域。
【請求項９】
前記浮遊可能な建築物構成要素は、意図するペイロードに従って高さが異なり、でき上がった領域は、そのペイロードを運搬するとき、実質的に平坦な面を提供する、請求項１に記載の浮き領域。
【請求項１０】
前記浮遊可能な建築物構成要素が、意図するペイロードに従って水又は任意の他の適切な材料が異なるレベルまで充填されることにより、でき上がった領域は、そのペイロードを運搬するとき、実質的に平坦な面を提供する、請求項１に記載の浮き領域。
【請求項１１】
前記浮遊可能な建築物構成要素が、互いの上部に意図するペイロードに従う複数の層に分けて重ねられることにより、でき上がった領域は、そのペイロードを運搬するとき、実質的に平坦な面を提供する、請求項１に記載の浮き領域。
【請求項１２】
前記浮遊可能な建築物構成要素の１つ以上には、バラストウェイトが取り付けられており、前記浮遊可能な建築物構成要素が水に入れられた後に直立した位置で安定している、請求項１に記載の浮き領域。
【請求項１３】
浮遊している海洋廃棄物を、構造物（特に浮き構造物）に変換する方法は、
（ａ）適切な浮遊廃棄物堆積物を特定する
（ｂ）前記廃棄物堆積物の性質及び分布を分析する
（ｃ）前記分析の結果に基づいて、建設目的に適した専用装置を適用した、回収・リサイクルプロトコルを作成する
（ｄ）前記プロトコルに従って選択された廃棄物収集手段を使用して前記廃棄物を取り込む
（ｅ）収集された廃棄物を、前記専用装置によって適用される選択されたプロセスに適した、廃棄物の種類に分類する
（ｆ）前記選択されたプロセスに従って前記選択された廃棄物を処理して、建設目的で使用するための建築物要素を創造する
（ｇ）前記建築物要素を一緒に取り付けて浮き構造物を創造し、（ｇ）選択的に、バラストウェイトを前記浮き構造物の底部に、当該浮き構造物が水に入れられた後に直立した位置で安定するように取り付けて、及び／又は、選択的に、前記ＦＢＣに、それらの浮き高さが調整されるように、ひいては、島の全体的な形状が調整されるように水又は他の材料を充填する
の上記ステップを含んでいる、方法。
【請求項１４】
前記取り込みは、浮き舟と、それに取り付けられた浮きバリアとを使用して実行される、請求項１３に記載の方法。
【請求項１５】
前記分類された廃棄物は、こうした廃棄物を、当該廃棄物が見つけられる場所で、建築物構成要素に加工するのに適した装置を使用して処理される、請求項１３に記載の方法。
【請求項１６】
分類された廃棄物の一部は、前記専用装置に電力を供給するためにエネルギに変換される、請求項１３に記載の方法。
【請求項１７】
前記建設目的は、前記廃棄物に隣接する浮き要素を建設する、請求項１３に記載の方法。
【請求項１８】
前記専用装置に電力を供給するのに役立つソーラーパネルがそのように建設された前記浮き要素に取り付けられている、請求項１７に記載の方法。
【請求項１９】
請求項１３の方法に従って作られた建築物要素であって、ポカヨケ特徴を含んでいる、建築物要素。
【請求項２０】
請求項１３の方法に従って作られた建築物要素であって、大きなせん断のある方向に、前記建築物要素の相対変位を可能にする、滑り及び／又はスライド特徴を含んでいる、建築物要素。
【請求項２１】
請求項１３の方法に従って作られた建築物要素であって、海へのアクセスランプ又は階段、波力エネルギアブソーバ及び植物培養容器の使用などの、特定の機能な要求に合せた、機能的な表面及び形態が組み込まれている、建築物要素。
【請求項２２】
請求項１３の方法に従って作られた建築物要素であって、相互に連結するための特徴を含んでいる、建築物要素。
【請求項２３】
請求項１３の方法に従って作られた、浮遊可能な建築物要素のセット。
【請求項２４】
請求項１３の方法に従って作られた浮遊可能な建築物要素によって構成された、連結式アセンブリ。
【請求項２５】
請求項１３の方法に従って作られた浮遊可能な建築物要素によって構成された、浮き島。
【請求項２６】
請求項１３の方法に従って作られた浮遊可能な建築物要素によって構成された、半島。
【請求項２７】
浮遊している海洋廃棄物を、構造物（特に、浮き構造物）に変換するための方法は、
ｈ）廃棄物、好ましくは、プラスチック廃棄物を収集する
ｉ）ＦＢＣを創造するために使用可能な／適切な材料を抽出するために、こうした廃棄物を、処理し、分類する
ｊ）選択的に、エネルギを生成するために使用可能な／適切な材料を抽出するために、前記廃棄物を、処理し、分類し、現在の処理ステップを推進する
ｋ）射出成形、熱成形又は任意の他の適切な処理などの処理を通じて、使用可能な／適切な材料からＦＢＣを創造する
ｌ）選択的に、ＦＢＣが水に入れられた後に直立した位置で安定するように、当該ＦＢＣの底部にバラストウェイトを取り付ける
ｍ）浮き島を創造するために前記ＦＢＣを組み立てる
ｎ）選択的に、浮き高さを調整するために、そしてその結果、前記島の全体的な形状を調整するために、水又は他の材料を前記ＦＢＣに充填する
の上記のステップを含んでいる、方法。
【発明の詳細な説明】
【関連出願の相互参照】
【０００１】
この出願は、２０１８年７月２６日に出願された米国仮出願第６２ / ７０３，５２１号及び2019年6月4日に出願された米国仮出願第６２ / ８５６，８２６号の利益を主張する国際（PCT）出願であり、それら全体の内容は、それら全体が、本発明の根底にある技術的な課題を解決するために貢献すると考えられるため、参照をもってここに明示的に取り入れられ、保護が求められる特徴を規定するために寄与し、以下に言及される、いくつかの特徴は、特に重要である。
【０００２】
［著作権と法律上の注意事項］
この特許文献の開示の一部には、著作権保護の対象となる資料が含まれている。出願人は、特許商標庁の特許ファイルまたは記録に記載されている特許文献又は特許開示物を誰でも複製することに異議を唱えることはないが、それ以外の場合は、全ての著作権を留保する。さらに、ここでなされた第三者の特許又は物に対する言及は、本発明が、先行発明によって、そうした材料に対して先行する権利がないことを認めるものと解釈されるものではない。
【発明の背景】
【０００３】
本発明は、不幸にも、陸地と同様に、大きな川や海に存在し浮いている、例えば、プラスチック廃棄物などの、廃棄物材料から作られた、モジュール式浮き構造物の創造に関するものである。海から廃棄物を回収し、何らかの形で陸地に持ち帰ることを目的とした計画がいくつかが存在している。地上で見つかった廃棄物もまた、収集して再利用される場合がある。加えて、現在の地球の気候変動は、全般的な海面上昇をもたらし、最終的には、居住可能な陸地の広大な面積の消滅につながることが広く認識されている。特に、地球の人口が増え続けるなかで、こうした陸地の一部を回復させることが望まれている。
【０００４】
水上に領域を創造するために、実質的に硬い浮きプラットフォームを設けることが知られている。連動する形状がある場合、それらは通常、複数の方向に追加されるため、浮き構成要素の間には、できる限り遊びが無いようになっている。取付要素は、浮き構成要素を互いにロックするような形状に設計されている。
【０００５】
主浮き要素と他の要素とを組み合わせることもまた知られている。いくつかの場合では、「主浮き要素」、「補助浮き要素」が存在し、上述のとおり、固定／取付要素が存在する。
【０００６】
必要なのは、この廃棄物を建設的に利用して、柔軟な方法で、人間の居住又は活動に適した領域を置換又は創造するための、効果的な手段であり、建築物要素間の移動を可能にすることである。
【０００７】
さらに、必要なのは、波の動きに追従する浮き領域であり、水平面での遊びが制限されているダブテールガイドによって自由に垂直に動くことができることである。
【０００８】
必要なのは、浮き建築物構成要素の間に滑り特徴を有する要素によって構成された浮き領域である。滑り特徴には、後述するように、浮き建築物構成要素上の、コーティング又はバンプが含まれる場合がある。
【発明の概要】
【０００９】
本発明は、廃棄物を再利用するための解決手段と、浮き島又は半島の形で、新しい居住可能な地面を創造するための解決手段とを組み合わせたものである。この目的のため、例えば、リサイクルされたプラスチック廃棄物などの比較的低い機械的抵抗の材料又はその他の適切な材料から作られた、浮き建築物構成要素（以下、ＦＢＣ）のセットを含む、システム及び方法／装置が提供される。
【００１０】
本発明のＦＢＣを創造するための方法は、複数のステップを含んでいる。第１のステップでは、浮遊している可能のある、適切な廃棄物堆積物が特定される。第２のステップでは、前記廃棄物堆積物の性質及び分布が分析される。第３のステップでは、前記分析の結果に基づいて、建設目的に適した専用装置を適用した、回収・リサイクルプロトコルが作成される。第４のステップでは、前記プロトコルに従って選択された廃棄物収集手段を使用して前記廃棄物が取り込まれる。第５のステップでは、前記専用機器によって適用される選択されたプロセスに適した廃棄物の種類に、前記廃棄物を分類し、収集する。第６のステップでは、前記選択された廃棄物を前記選択されたプロセスに従って処理して、前記建設目的で使用するための建築物要素を創造する。第７のステップでは、選択的に、 前記ＦＢＣに水又は他の材料を充填して、それらの浮き高さ又は浮力を調整し、その結果、島の全体的な形状を調整することができる。
【００１１】
本発明の目的は、浮き島又は半島を設置するための「半剛性」アセンブリを創出するために、前記ＦＢＣを互いの間で相互に連結すること／組み立てることである。ここで使用されている「半剛性」は、剛性を有しているが、少なくとも１つの平面で相対的な動きを可能とするように互いに接続された、要素を示している。「半剛性」アセンブリは、ＦＢＣの間の、相対的な動きの自由を選択的に制限することができ、連結式アセンブリとも呼ばれる。
【００１２】
本発明の他の目的は、前記ＦＢＣの相対的な動きを制御するための、適切な取付手段を提供することである。さらに、本発明の他の目的は、前記ＦＢＣを、廃棄物収集の現場又は浮き領域を創出するために使用される現場において、製造及び組立ができるように、設計することである。
【００１３】
本発明の他の目的は、全てが同じである浮遊可能な建築物構成要素を備える領域を構築することができる構造物を提供することである（図６Ａ参照。）。さらに、本発明の他の目的は、前記浮遊可能な建築物構成要素の間に追加のアタッチメントが無くても、領域を構築することができる構造物を提供することである（特徴１１１６／１２１０）。
【００１４】
その結果、本発明は、波の上下の動きに追従することができ、したがって、公海上と海岸の近くとの両方に設置することができる、浮き領域を提供する。こうした浮き領域はまた、既存の自然領域及び／又は人工領域の間の連結部として使用することができ、歩行可能な通路又は車両に適した軌道の形を取ることができる。
【図面の簡単な説明】
【００１５】
添付図面は、例示として、本発明の異なる実施形態を表している。
【図１】本発明の、浮遊可能な建築物構成要素のセットの斜視図である。
【図２】本発明のシステムにおける主建設要素の斜視図である。
【図３】本発明のシステムにおける接合要素の斜視図である。
【図４Ａ】本発明のシステムにおける連結式アセンブリを提供するための手段の斜視断面図である。
【図４Ｂ】本発明のシステムにおける連結式アセンブリを提供するための手段の斜視断面図である。
【図５Ａ】本発明のシステムにおける連結式アセンブリを提供するための手段の側面断面図である。
【図５Ｂ】本発明のシステムにおける連結式アセンブリを提供するための手段の側面断面図である。
【図６Ａ】本発明の、浮き建物構成要素のセットの斜視図である。
【図６Ｂ】本発明の、浮き建物構成要素のセットの斜視図である。
【図６Ｃ】２つの建築物構成要素を組み立てた状態で示す上面図である。
【図７】本発明に従う、島又は半島の斜視図である。
【図８Ａ】本発明に従う、島又は半島における建築物構成要素の、組立／分解の様子を示す斜視図である。
【図８Ｂ】本発明に従う、島又は半島における建築物構成要素の、組立／分解の様子を示す斜視図である。
【図９Ａ】本発明に従う、島又は半島の側面図である。
【図９Ｂ】本発明に従う、島又は半島の一般的な側面図である。
【図１０】本発明の方法のフローチャートである。
【図１１】本発明の代替的方法のフローチャートである。
【００１６】
当業者であれば、図中の要素は、単純化されてわかりやすくするために描かれており、必ずしも縮尺とおりに描かれているわけでないことは理解されることである。例えば、本発明とその実施形態の理解を深めるために、他の要素に比べて寸法を誇張して表示している場合がある。さらに、ここで、「第１」、「第２」などの用語が使用されている場合、それら使用は、類似の要素を区別することを意図し、必ずしも連続的または時系列的な順序を説明することを意図しない。さらに、本明細書及び／又は特許請求の範囲に記載されている「前」、「後」、「上」、「下」などの相対的な用語は、必ずしも排他的な相対的位置を表すために使用されているわけではない。したがって、当業者であれば、そのような用語は他の用語と交換可能であり、そして、ここに記載されている実施形態は、明示的に図示又は他の方法で記載されている以外の、他の向きにどうさすることができることは理解されることである。
【発明を実施するための形態】
【００１７】
以下の説明は、本発明の範囲を制限することを意図するものではなく、本発明の出願日時点で本発明者が知っている、本発明の最良の形態を説明することを目的とした、本質的に例示的なものである。その結果、本発明の主旨及び範囲を逸脱することなく、ここで開示されている例示的な実施形態に記載されている要素のいずれかの配置及び／又は機能に変更を加えることができる。
【００１８】
図１を参照すると、本発明に従うシステムは、リサイクルされたプラスチック廃棄物又はその他の任意の適切な材料から作られた、浮遊可能な建築物構成要素（以下、ＦＢＣ）のセットかならなる。
【００１９】
前記ＦＢＣは、それらを組み立てることで、浮き島若しくは浮き半島の少なくとも一部、又は、浮き路／道路の少なくとも一部を形成することができるような、適切な形状を有している。前記ＦＢＣは、専用の機能を果たすために、必要に応じて、異なる形状を有する場合がある。一例として、ＦＢＣは、主建設要素又は接合要素として形成される場合がある。前記主建設要素は、好ましくは、基本的に平行六面体形状を有している。接合要素は、好ましくは、基本的に円筒形状及び／又は細長い形状を有している。前記ＦＢＣの形状は、早く簡単に組み立てられるように、「ポカヨケ」特徴を含んでいる場合がある。「ポカヨケ」は、リーン生産方式において、装置のオペレータがミス（ポカ）を回避する（ヨケ）のに役立つ仕組みである。その目的は、人為的なミスを、未然に防ぎ、修正し、注意を喚起することで、製品の欠陥を排除することである。前記建設要素及び前記接合要素の形状はまた、前記建設要素が任意の方向に相対変位することを可能にする、ガイド機能及びスライド機能を有していてもよい。ＦＢＣは、もちろん、他の要素として形成することができる。他の要素は、海へのアクセスランプ若しくは階段、波エネルギアブソーバ、植物培養容器などの、他の専用の機能を果たすために、より具体的な形状を有していてもよい。ＦＢＣの設計にはまた、連結式浮き構造物に組み立てるために適切な、取付ハンドル又は相互連結接点を含めることができる。浮遊しながら連結式構造物を構築できるようにするために、こうしたＦＢＣのセットは、以下の要素を含んでいてもよい。
ａ．主建設要素１００、１１００（図１、図２、図６Ａ〜Ｃ）
ｂ．補助建設要素２００、１２００（図１、図６Ａ〜Ｃ）
ｃ．接合要素３００（図１、図３）
ｄ．ロック要素４００、１２１０（図１、図６Ａ〜Ｃ）
【００２０】
主建設要素１００は、基本的に平行六面体の形状を有しており、第２建設要素２００の形状に合うように適合され、接合要素３００の形状に合うように適合された、凹部１０１，１０２，１０３と、ロック要素４００の形状に合うように適合された貫通穴１２１、１２２、１２３、１２４と、を含んでいる。接合要素３００は、ロック要素４００の形状に対応する、貫通穴３２０、３２１を含んでいてもよい。凹部１０１、１０２、１０３及びロック穴１２１、１２２、１２３、１２４の局在化は、組立作業者が組立のために水面下に潜る必要が無く、水に浮かせながら、主建設要素１００を行と列とに累進的に組み立てることを可能にする。
【００２１】
図４Ａ〜４Ｂ及び図５Ａ〜５Ｂを参照すれば、凹部１０１、１０２、１０３及びロック穴１２１、１２２，１２３、１２４、３２０、３２１は、基本的に、平行六面体の形状又は円筒の形状又はそれらの任意の組み合わせを有していてもよく、また、組み立てられた要素の間に、予め設定された剛性接触点と、制限された回転自由及び／又は制限された変位１６０の角度１５０とを提供するために、複数のコニシティ角度１４１、１４２、１４３、１４４を含んでいてもよい。前記ＦＢＣが部分的に又は全体的に浸されるとき、コニシティ角度１４１、１４２、１４３、１４４によって生じた容積内に含まれる水が、強制的に移動させられ、動きのエネルギの吸収に関与する。主建設要素１００、第２建設要素２００、接合要素３００及びロック要素４００は、中空の水密容器として構成することができ、組立後に、適切なレベルまで、海水又は廃棄物又は任意の他の材料によって、それらの密度を調整できるように満たされることができ、その結果、浮き島又は半島を構成する連結式アセンブリ内での、それらの機能に適合した浮き高さを得ることができる。
【００２２】
ここで、図６Ａ〜６Ｃを参照すれば、本発明に従うシステムは、中空の建設要素１１００、カバー１２００及びロッカー１２１０の組み合わせを使用して有利に構築することができる。建設要素１１００は、基本的に、三角形、四角形、五角形、六角形などの正多角形の底部を備えるプリズムの形状を有していてもよく、隣接する建設要素に取り付けるための、ダブテール１１１２及びダブテール溝１１１４と組み合わされている、建設要素１１００の底部１１２０は、選択的に、別個の部分として製造することができ、水密中空容器を形成するために、壁１１１０に組み付けることができる。建設要素１００の底部１１２０は、選択的に、当該建設要素を空にすること又は充填することができるように、バルブ又は緊密に閉鎖可能な蓋を含んでいてもよい。底部１１２０の、壁１１１０への取付は、接着、溶接、オーバーモールド又は産業上知られている他の任意の水密な取付技術を使用することができる。一実施形態では、止めねじなどのロック要素もまた使用することができる。建設要素１１００の、底部１１２０及び壁１１１０はまた、射出成形、ブロー成形、熱成形、押出しなどのプロセス及び技術的に知られている他の任意のプロセスを使用して、直接一体的に製造することができる。少なくとも１つの、ダブテール１１１２及びダブテール溝１１１４が壁１１１０の各側面に存在し、動きの自由を保つとともに垂直方向の案内を提供しながら、隣接する建設要素に対する取付手段を提供している。壁１１１０は、水位よりも上に位置するように、建設要素１１００の上面近くに穴１１１６を含み、ロッカー１２１０を穴１１１６に挿入するときに、実質的に強固な取付けを可能にする。ダブテール１１１２は、建設要素１１００の高さよりも短い長さを有していてもよく、建設要素１１００の上部にカバー１２００を追加してダブテール溝１１１４の端部を閉じることによって、隣接する建設要素１１００に対して、垂直に動くための自由が制限される。カバー１２００は、建設要素１１００を水密に閉じる、及び／又は、所定の建設要素が隣接する建設要素に対して垂直に動くときの自由を制限する、及び／又は、隣接する建設要素とともに実質的にシームレスな表面を提供する、などの、いくつかの機能を有することができる。ここで、使用した「ダブテール及びダブテール溝」という表現は、例として、動き又はスライドの自由を保って１つの本質的に直線方向の案内を提供しながら２つの建設要素を相互に連結することができる形状の任意の他の組み合わせを説明していることを理解する必要がある。建設要素１１００の壁１１１０は、水に浸したときの固着効果を回避するために、その表面にバンプ１１３０を有していてもよく、これによって、垂直方向の案内効果が最小限の摩擦で起きる。摩擦に対する表面処理及び／又は防汚表面処理もまた、建設要素１１００の表面に適用させることができる。実際、海水又は湖水は、潤滑剤として作用し、建設要素が相対運動中に互いに擦れ合っているとき、当該建設要素の間の摩耗を最小限に抑えることができる。建設要素１１００の底部１１２０はまた、フィン又はスポイラなどの、水面下に突出する付加的な特徴を備え、周囲の水、特に流れる水において、浮き領域の動きに好ましい向きを与え、又は、海流によって生じる横方向の力を制御してもよい。モータ駆動プロペラ及びラダーなどの制御面を、浮き領域の、１つ以上の建設要素１１００の下に取り付けて、当該浮き領域全体の変位を可能にしてもよい。
【００２３】
ここで図７を参照すれば、建設要素１１００は、島又は半島１０００を形成するように、互いに取り付けられてもよい。前記構造物の下の水に直接アクセスできるように、空の空間又は開口１０２０を残してもよい。強い横風、表面波が発生したときにＦＢＣを垂直に保つために、或いは、最初のＦＢＣの組み立てを容易にするために、一部のＦＢＣの底部には、バラストウェイト（図示省略）を取り付けてもよい。これによって、ＦＢＣが横に倒れることを回避する。こうしたバラストウェイトは、ダブテールガイド及び溝の摩擦を減少させ、それらを平行に保つのに役立つ場合がある。
【００２４】
ここで図８Ａ〜８Ｂを参照すれば、任意の建設要素１１００は、そのカバー１２００と隣接する建設要素１１０２のカバー１２０２とを取り除いて、ロッカー１２１０にアクセスし、ダブテール１１１２を、それらが挿入された隣接するダブテール溝１１１４から解放して、垂直方向の自由な動きを可能にすることによって、追加し、取り除き、又は、置き換えることができる。建設要素１１００の、底部１１２０及び上部カバー１２００は、当該建設要素を上側又は下側にスライドさせることによってアセンブリから取り除くことができるような、適切な形状を備えていてもよい。前記建設要素の下側へのスライドは、その底部カバー１１２０のバルブ又は蓋を開いて前記建設要素内に水を入れ、それによってそれを沈めることによって容易に行うことができる。自由相対運動量は、ダブテール１１１２の長さと、それが中でスライドする対応するダブテール溝１１１４との差に応じて調整することができ、この場合、ロッカー１２１０は、自由なスライドを可能にするために使用されない。この垂直な組立／分解の可能性によって、前記浮き領域は、ボートの形状に近い形状に組み立てられて、前記建設要素の下から突出したフィン及びスポイラの形状、前記建設要素の下に取り付け得られたモータ、プロペラ及び制御面を使用して、その設置位置に移動させ、そして、その後、部分的に又は完全に分解され、設置現場での、居住可能な領域として、より適切な別の形状に組み立て直すことができる。
【００２５】
しかしながら、代替的な実施形態では、任意の建設要素１１００は、そのカバー１２００と隣接する建設要素のカバー１２０２とを取り除くことなく、ロッカー１２１０にアクセスし、ダブテール１１１２を、それらが挿入された隣接するダブテール溝１１１４から解放して、垂直方向の自由な動きを可能にすることによって、追加し、取り除き、又は、置き換えることができる。本実施形態では、前記ダブテールに接するカバー１２００による垂直方向移動制限は存在しない。任意のＦＢＣが任意の時間の任意の位置で容易に交換できる可能性を維持し、もちろん、沈まないようにすることが望ましい場合がある。そのため、上部カバー1200は底部1120と非常に類似した形状を有し、それによって、前記溝内での前記ダブテールの自由なスライドを可能にし、その場合、前記ダブテール及び前記ダブテール溝は、前記ＦＢＣの全高と同じ長さを有することができる。ただし、底部１２０とカバー１２００の両方にバルブや蓋を設けて、浮力を管理するために、水を空にできるように又は水を充填できるようにしてもよい。これにより、前記ＦＢＣは、産業上製造し易いシンプルな形状にすることができる。もちろん、この場合、前記底部カバーもまた、上部カバー１２００と同じ形状を有し、また、ダブテールも溝と同じ長さを有し、これによって、スライドすることなく、より剛性の高い構造物にすることができる。この場合、前記カバーを前記壁に固定する一実施形態の止めねじは、前記ＦＢＣの内側から（前記底部カバーを外すように）操作できるように適合させることができる。
【００２６】
ここで図９Ａ〜９Ｂを参照すれば、（直前で上述した、長さのこの違いによって許容される）１つの建設要素１１００から次の建設要素に垂直に動いたときの相対的な自由は、島又は半島１０００を波１００２の動きに適応させることを可能にする。
【００２７】
本発明の他の目的は、前記ＦＢＣの相対的な動きを制御するための適切な取付手段を提供することである。前記取付手段は、ロープ、ケーブル、ショックアブソーバなどの純粋な受動的取付け、又は、前記建設要素そのものの形状の相互連結、又は、こうした手段の任意の組み合わせとすることができる。前記取付手段は、プラスチック廃棄物収集の現場で見つかった海洋廃棄物をリサイクルして作られたものとすることができる。前記浮き島又は半島の挙動を最適化するために、自動制御システムの制御下で、油圧ピストン、電気的に作動するウィンチ及び同様の装置などの、能動的な取付手段を使用することもできる。波によって生じるＦＢＣ間の相対的な動きからエネルギを収集するために、適切な取付手段を使用することができる。例えば、ダイナモを、隣接する要素の隣接面に係合するホイールを有した凹部に取り付けることができ、当該ダイナモは、それによって発生した電気エネルギを蓄えるためのバッテリに電気的に接続されている。前記係合は、摩擦によるものとすることができ、或いは、ギア及びラックからなるものとすることができる。選択的に、前記ＦＢＣは、当該ＦＢＣの近くで収集されたエネルギを蓄えるように適合させた１つ以上の、こうしたバッテリを収納することができる。
【００２８】
本発明のさらなる目的は、前記浮き島の上部に建築される上部構造物、又は、前記浮き島の下の水面下に浮かばせることができる半浸漬又は完全浸漬構造物のための前記ＦＢＣに取付手段を提供することである。
【００２９】
本発明のさらなる目的は、前記ＦＢＣを、それらが廃棄物収集の現場で、製造して組み立てることができるように構成することである。このような場合、前記ＦＢＣは、適切な寸法及び重さに作ることができるので、それらを、重いリフト装置を必要とすることなく人間によって、操作、組み立て及び／又は分解でき、また、それらを、組立の後に、海水又は廃棄物又は任意の他の材料によって適切なレベルまで充填してそれらの密度を調整でき、その結果、それらの機能に適合した浮き高さが得られ、プラスチック収集及びリサイクルの場所に、浮き島を建設することができる。でき上がった浮き島は、さらなるリサイクル設備の建設及び運用並びに任意の他の活動の拠点として使用することができる。それはまた、海上を自由に移動する新しい領域を創出するために使用することができ、又は、陸地若しくは島に繋がってその面積を増加させ若しくは例えば海面上昇のために失われた面積を再現する新しい領域を創造するために使用することができる。こうした浮き島又は半島は、農業、部分的に水没した農業、畜産、太陽環境発電、波力環境発電、風力環境発電、住宅、又は、それらの任意の組み合わせなどの、特定の用途に特化させることができる。浮き島又は半島は、崖、サンゴ礁などの、波によって浸食された地域の周囲に設置して、波のエネルギの少なくとも一部を吸収し、その影響を軽減させることができる。
【００３０】
水に浮かびながら、浮きサブアセンブリを創造するため、主建設要素１００の組立順序は、図面を参照した本開示から明らかであり、 線の建設要素を創出するために、以下のように、任意の方向から開始することができる。
ａ．第１の主建設要素１００の側面凹部１０２内に接合要素３００を水平にスライドさせる。
ｂ．ロック要素４００を穴１２２、３２０に垂直に挿入することによって、第１の主建設要素１００に接合要素３００を取り付ける。
ｃ．第１の主建設要素１００の面から突出している接合要素３００の後半部に、第２の主建設要素１００を水平にスライドさせる。
ｄ．第２のロック要素４００を穴１２１、３２１に挿入することによって、第２の主建設要素１００を接合要素３００にロックする。そして、
ｅ．所望の長さの、線の主建設要素を得るまで、一連の作業を繰り返す。
【００３１】
主建設要素１００の第１の線が組み立てられた後、主建設要素１００の第２の線を段階的に追加するには、建設中の線（線の取付）と、以前の線（列の取付）との両方の取付が必要であり、両方の取付は、互いに直交している。前記線の取付の干渉を受けることなく前記列の取付を可能にするために、前記列の取付用の接合要素３００を設置するためのアクセスは、主建設要素１００の上部からアクセス可能な第２建設要素２００を取り除くことによって提供される。接合要素３００の設置後、前記第２の建設要素は、上部に配置されて、穴１２３に挿入されたロック要素４００によって固定され、主建設要素１００の平行六面体の形状を完成させ、同じ取付可能性を提供し、 当該同じ取付可能性は、次の取付（前記接合要素を固定するためのロック要素の垂直な挿入）に関して同じ取付可能を提供する。これにより、浮き構造物全体を、海面又は海面下からの操作を必要することなく、上部から組み立てることができる。
【００３２】
垂直なダブテールガイド形状を備えた建設要素を使用するとき、前記主建設要素１１００の組み立て順序は、以下のように実行することができる。
ｉ．建設要素１１００のダブテール１１１２を、第１の主建設要素１１００のダブテール溝１１１４にスライドさせる。
ｉｉ．選択的に、剛性の高い接続を得るために、１つ以上のロッカー１２１０を、建設要素１１００の対応する穴１１１６にスライドさせる。
ｉｉｉ．選択的に、主建設要素１１００を、水、廃棄物又は任意の適切な材料で満たして、それらの全体的な密度を調整する。
ｉｖ．主建設要素１１００を、当該建設要素を水密に閉じるように、カバー１２００で閉じ、隣接する主建設要素１１００に対する垂直な動きの自由を選択的に制限するように、適切な幾何学形状を有する形状のカバー１２００を選択する。
ｖ．所望の寸法及び形状の主建設要素の表面を得るまで一連の作業を繰り返す。
【００３３】
組立中又は浮き島の一部の建設後、前記ＦＢＣは、それらの密度及び浮力を調整するために、海水又は廃棄物又は任意の他の材料によって適切なレベルにまで満たされ、それらの機能（プラットフォーム、ビーチ、港、防波堤など）に適合した浮き高さを得ることができる。前記ＦＢＣは、後から密閉状態に閉じることができ、それによって、そのアセンブリは、非常に厳しい天候であっても、沈まなくなる。しかし、各要素は、修理、調整又は再利用のために必要であれば、再び開けることができる。
【００３４】
所定のＦＢＣ又はＦＢＣ群の、ペイロード容量に適合させるには、こうしたＦＢＣを水密に密閉し、その後、その上に１つ以上のＦＢＣの垂直な縦列を追加して取り付けることもできる。こうした適合は、前記ダブテールガイドシステムによって提供される、任意の個々のＦＢＣへの垂直なアクセスによって、任意の時点又は前記島若しくは半島の任意の位置で行うことができる。
【００３５】
図１０を参照すれば、ＦＢＣを創造して適合させるための方法が提供されている。前記方法は、次のように説明することができる。
ａ．廃棄物、好ましくは、プラスチック廃棄物を収集する。
ｂ．こうした廃棄物を、処理し、分類して、ＦＢＣを創造するために使用可能な／適切な材料を抽出する。
ｃ．選択的に、前記廃棄物を処理し、分類して、エネルギを生成するために使用可能な／適切な材料を抽出し、現在の処理ステップを推進する。
ｄ．射出成形、熱成形又は任意の他の適切な処理などの処理を通じて、前記使用可能な／適切な材料からＦＢＣを創造する。
ｅ．選択的に、ＦＢＣが水に入れられた後に直立した位置で安定するように、当該ＦＢＣの底部にバラストウェイトを取り付ける。
ｆ．前記ＦＢＣを組み立てて、浮き島を創造する。
ｇ．選択的に、水又は他の材料を前記ＦＢＣに充填して、それらの浮き高さを調整するために、そしてその結果、前記島の全体的な形状を調整する。
【００３６】
廃棄物を収集する第１の方法ステップ１０００１は、ネット、浮きバリアを使用して手動で実行することができる。人間が操作する機械又は装置を使用して半自動的に又は自立走行車及び機械を使用して自動的に実行し,前記廃棄物を実質的に同じ大きさの粒子に粉砕し、収集した要素の物理特性を区別して分類することもできる。こうした廃棄物を処理、分類して、ＦＢＣを創造するために使用可能な／適切な材料を抽出する第２の方法ステップ１０００２は、洗浄、消毒、より小さな粒状物への粉砕、及び、セメント、樹脂などの添加物との混合を含んでいてもよい。第３の方法ステップ１０００３は、選択的であり、前記廃棄物を分類して、エネルギを生成するために使用可能な／適切な材料を抽出し、本プロセスステップを推進することを含んでいる。前記分類には、人間の操作する装置、半自動又は自動の機械を含む場合があり、当該分類は、分類される要素の物理的特性を区別することに依存している。射出成形、熱成形又は任意の他の適切なプロセスなどのプロセスを通じて、前記使用可能な／適切な材料からＦＢＣを創造する第４の方法ステップ１０００４は、船舶、艀又は浮き島の最初の部分に設置された、通常の産業装置によって達成することができる。選択的な第５の方法ステップ１０００５は、前記ＦＢＣの底部に、当該ＦＢＣが水に入れられた後に直立した位置で安定するように、バラストウェイトを取り付けることを含んでおり、前記ＦＢＣが水上にあるとき又は前記ＦＢＣを水中に設置する前に、ダイバーによって達成させることができ、選択的に、任意の取付手段を使用することができ、当該任意の取付手段は、前記廃棄物中から見つかった又は以前に分類された廃棄物材料から形を変えた、リサイクルされた取付手段を含んでいる。前記ＦＢＣを組み立てて、前記浮き島を創造する第６の方法ステップ１０００６は、図７を参照すると、本明細書の上述のサブステップに従う。第７の方法ステップ１０００７は、選択的に、前記ＦＢＣに水又は他の材料を充填して、それらの浮き高さを調整し、その結果、前記島の全体的な形状を調整することを含んでいる。これは、前記ＦＢＣの底部に配置されたバルブ又は蓋（図示省略）を開けることによって達成することができ、これによって、所望の浮力が得られるまで、水が入ることになる。
【００３７】
ここで図１１を参照すれば、廃棄物を構造物（例えば、浮き構造物又は領域）に変換する代替的な方法が提供されている。前記方法には、複数のステップがある。第１のステップ１１００１では、適切な堆積物を特定する。第２のステップ１１００２では、廃棄物堆積物の性質及び分布を分析する。第３のステップ１１００３では、前記分析の結果に基づいて、建設目的に適した専用装置に適用する、回収・リサイクルプロトコルを作成する。第４のステップ１１００４では、前記プロトコルに従って選択された廃棄物収集手段を使用して前記廃棄物が取り込まれる。第５のステップ１１００５では、前記専用装置によって適用される選択されたプロセスに適した廃棄物の種類に、前記廃棄物を分類し、収集する。第６のステップ１１００６では、前記選択された廃棄物を前記選択されたプロセスに従って処理して、前記建設目的で使用するための建築物要素を創造する。第７のステップ１１００７では、前記ＦＢＣを一緒に組み立てて、浮き構造物を創造する。第８のステップ１１００８では、前記ＦＢＣの下端部にウェイトを取り付けることによって、及び／又は、水又は他の材料を充填することによって、当該ＦＢＣを選択的に方向付けて、それらの浮き高さを調整し、したがって、島の全体的な形状を調整する。その結果、波の上下の動きに追従させることが可能な、浮き領域が提供される。
【００３８】
より詳細には、第１のステップ１１００１の方法では、適切な廃棄物堆積物は、航空写真、自立型若しくは遠隔制御型のドローン又は目撃者によって報告されたＧＰＳタグ付き写真を使用して特定される。第２のステップ１１００２では、前記廃棄物堆積物の性質及び分布が廃棄物の色分布を考慮することによって分析され、或いは、構成要素の共通の分布が仮定される。第３のステップ１１００３では、前記分析の結果に基づいて、建設目的に適した専用装置を適用した、回収・リサイクルプロトコルが作成される。前記廃棄物が主にプラスチック廃棄物である場合、プラスチックろ過・収集装置が特定される。第４のステップ１１００４では、廃棄物収集機械が廃棄物のある場所に配備されて、前記プロトコルに従って操作される。第５のステップ１１００５では、前記廃棄物は、前記専用装置によって適用される選択されたプロセスに適した廃棄物の種類に、分類され、収集される。第６のステップ１１００６では、前記選択された廃棄物は、前記選択されたプロセスに従って処理されて、前記建設目的で使用するための建築物要素を創造する。これには、通常、前記要素の射出成形が含まれ、その成形装置は、一般に、収集場所の近くに浮かぶ艀上、船舶上又は浮き島の最初の部分上に設置されている。第７のステップ１１００７では、前記要素は、一緒に組み立てられて、構造物を創造する。第８のステップ１１００８では、前記ＦＢＣは、それらの浮き高さを調整するため、そこの下端部にウェイトを取り付けることによって、及び／又は、選択的に水又は他の材料が充填されることによって、方向付けられる。その結果、波の上下の動きに追従するように適合させた、浮き領域が提供される。
【００３９】
本発明は、要約すると、以下のとおりである。
【００４０】
１．少なくとも２つの浮遊可能な建築物構成要素によって構成された浮き領域であって、少なくとも２つの構成要素の内の少なくとも２つは、第１の正多角形底端部と、第２の正多角形カバーと、前記底端部から前記カバー端部まで基本的に共通の方向に延びてその内の水密の区画を取り囲む壁と、を有しており、 前記壁は、取付要素を含んでおり、当該取付要素は、隣接する構成要素の、隣接する相補的な取付要素に対する、スライド取付用のダブテール及びダブテール溝を備えており、前記取付要素は、それぞれ、ダブテール溝及びダブテールを備えており、前記取付要素は、相互に連結されるとき、前記浮遊可能な建築物構成要素が互いに垂直にスライドすることを可能にし、それによって、前記浮き領域を、波の上下の動きに追従させる。
【００４１】
２．前記特徴セット１の浮き領域であって、前記正多角形底部及び／又はカバーは、三角形、四角形、五角形及び六角形で構成される形態のリストの１つから選択される。
【００４２】
前記特徴セット１又は２の浮き領域であって、少なくとも１つのカバーは、実質的にシームレスな表面を提供するように、前記ダブテール溝上に延びている。
【００４３】
４．前記特徴セット３の浮き領域であって、前記ダブテール溝の長さが前記ダブテールの長さよりも長く、それによって、前記建築物構成要素の間での相対的なスライド運動を可能にする、所定の遊びを提供する。 
【００４４】
５．前記特徴セット１の前記浮き領域であって、少なくとも１つのカバー端部は、取外し可能であり、ダブテール溝上に延びてその中でのダブテールの動きを制限する。
【００４５】
６．前記特徴セット１の前記浮き領域であって、複数の浮遊可能な建築物構成要素が、隣接する浮遊可能な建築物構成要素に対して垂直に動く自由を制限するカバーによってそれぞれ個別に覆われている。
【００４６】
７．前記特徴セット１の浮き領域であって、複数の浮遊可能な建築物構成要素が、それらの隣接する浮遊可能な建築物構成要素にロックされて、実質的に剛性の高い表面を提供する。
【００４７】
８．前記特徴セット１の浮き領域であって、前記浮遊可能な建築物構成要素の外面は、固着を最小化するための、ボス又は隆起部分を含んでいる。
【００４８】
９．前記特徴セット１の浮き領域であって、前記浮遊可能な建築物構成要素は、それらの意図するペイロードに従って高さが異なり、でき上がった領域は、そのペイロードを運搬するとき、実質的に平坦な面を提供する。
【００４９】
１０．前記特徴セット１に従う、浮き領域であって、前記浮遊可能な建築物構成要素が、それらの意図するペイロードに従って水又は任意の他の適切な材料が異なるレベルまで充填されることにより、でき上がった領域は、そのペイロードを運搬するとき、実質的に平坦な面を提供する。
【００５０】
１１．前記特徴セット１に従う、浮き領域であって、前記浮遊可能な建築物構成要素が、互いの上部に、それらの意図するペイロードに従う複数の層に分けて重ねられることにより、でき上がった領域は、そのペイロードを運搬するとき、実質的に平坦な面を提供する。
【００５１】
１２．前記特徴セット１に従う浮き領域であって、前記浮遊可能な建築物構成要素の１つ以上には、バラストウェイトが取り付けられており、その結果、前記浮遊可能な建築物構成要素は、水に入れられた後に直立した位置で安定している。
【００５２】
１３．浮遊している海洋廃棄物を、構造物（特に浮き構造物）に変換する方法は、以下のステップを含んでいる。
（ａ）適切な浮遊廃棄物堆積物を特定する。
（ｂ）前記廃棄物堆積物の性質及び分布を分析する。
（ｃ）前記分析の結果に基づいて、建設目的に適した専用装置を適用した、回収・リサイクルプロトコルを作成する。
（ｄ）前記プロトコルに従って選択された廃棄物収集手段を使用して前記廃棄物を取り込む。
（ｅ）収集された廃棄物を、前記専用装置によって適用される選択されたプロセスに適した、廃棄物の種類に分類する。
（ｆ）前記選択されたプロセスに従って前記選択された廃棄物を処理して、建設目的で使用するための建築物要素を創造する。
（ｇ）前記建築物要素を一緒に取り付けて浮き構造物を創造する。（ｇ）選択的に、バラストウェイトを前記浮き構造物の底部に、当該浮き構造物が水に入れられた後に直立した位置で安定するように取り付けて、及び／又は、選択的に、前記ＦＢＣに、それらの浮き高さが調整されるように、ひいては、島の全体的な形状が調整されるように水又は他の材料を充填する。
【００５３】
１４．前記特徴セット１３の方法であって、前記取り込みは、浮き舟と、それに取り付けられた浮きバリアとを使用して実行される。
【００５４】
１５．前記特徴セット１３の方法であって、前記分類された廃棄物は、こうした廃棄物を、当該廃棄物が見つけられる場所で、建築物構成要素に加工するのに適した装置を使用して処理される。
【００５５】
１６．前記特徴セット１３の方法であって、分類された廃棄物の一部は、前記専用装置に電力を供給するためにエネルギに変換される。
【００５６】
１７．前記特徴セット１３の方法であって、前記建設目的は、前記廃棄物に隣接する浮き要素を建設する。
【００５７】
１８．前記特徴セット１７の方法であって、前記専用装置に電力を供給するのに役立つソーラーパネルがそのように建設された前記浮き要素に取り付けられている。
【００５８】
１９．前記特徴セット１３の方法に従って作られた建築物要素であって、前記建築物要素は、ポカヨケ特徴を含んでいる。
【００５９】
２０．前記特徴セット１３の方法に従って作られた建築物要素であって、前記建築物要素は、大きなせん断のある方向に、前記建築物要素の相対変位を可能にする、滑り及び／又はスライド特徴を含んでいる。
【００６０】
２１．前記特徴セット１３の方法に従って作られた建築物要素であって、前記建築物要素には、海へのアクセスランプ又は階段、波力エネルギアブソーバ及び植物培養容器の使用などの、特定の機能な要求に合せた、機能的な表面及び形態が組み込まれている。
【００６１】
２２．前記特徴セット１３の方法に従って作られた建築物要素であって、前記建築物要素は、相互に連結するための特徴を含んでいる。
【００６２】
２３．前記特徴セット１３の方法に従って作られた、浮遊可能な建築物要素のセット。
【００６３】
２４．前記特徴セット１３の方法に従って作られた浮遊可能な建築物要素によって構成された、連結式アセンブリ。
【００６４】
２５．前記特徴セット１３の方法に従って作られた浮遊可能な建築物要素によって構成された、浮き島。
【００６５】
２６．前記特徴セット１３の方法に従って作られた浮遊可能な建築物要素によって構成された、半島。
【００６６】
２７．浮遊している海洋廃棄物を、構造物（特に、浮き構造物）に変換するための方法は、以下のステップを含んでいる。
ａ）廃棄物、好ましくは、プラスチック廃棄物を収集する
ｂ）ＦＢＣを創造するために使用可能な／適切な材料を抽出するために、こうした廃棄物を、処理し、分類する
ｃ）選択的に、エネルギを生成するために使用可能な／適切な材料を抽出するために、前記廃棄物を、処理し、分類し、現在の処理ステップを推進する
ｄ）射出成形、熱成形又は任意の他の適切な処理などの処理を通じて、使用可能な／適切な材料からＦＢＣを創造する
ｅ）選択的に、ＦＢＣが水に入れられた後に直立した位置で安定するように、当該ＦＢＣの底部にバラストウェイトを取り付ける
ｆ）浮き島を創造するために前記ＦＢＣを組み立てる
ｇ）選択的に、それらの浮き高さを調整するために、そしてその結果、前記島の全体的な形状を調整するために、水又は他の材料を前記ＦＢＣに充填する
【００６７】
有利な点としては、本発明を使用することによって、すべてが同一の浮遊可能な建築物構成要素を用いて、領域を建設することが可能となる（図６Ａ参照。）。
【００６８】
他の有利な点としては、本発明を使用することによって、前記浮遊可能な建築物構成要素の間に追加の取付が無くても、領域を建設することが可能となる（言い換えれば、特徴１１１６／１２１０は明らかにオプションである。）。
【００６９】
ここに開示されている特定の実施形態は、本発明及びその最良の形態を代表するものであるが、如何なる形でも本発明の範囲を限定することを意図するものではいことは理解されることである。例えば、前記浮き島は、あらゆる種類の人間活動に使用することができるので、ここに記載された前記島の取付手段は、半島を形成するように前記陸地との接続を維持することができ、又は、浮き橋又は道路を形成するように陸地の少なくとも一部に接続することができ、これらもまた、本発明の一部とみなされる。
【００７０】
当業者であれば、理解できるが、本発明は、システム、装置、または方法として具現化することができる。
【００７１】
ここでは、本発明は、本発明の様々な態様に従って、ブロック図、装置、構成要素及びモジュールを参照して説明されている。さらに、前記システムは、ここに記載された同様の機能を有する、任意の商品、サービス又は情報の、使用、販売及び／又は頒布を意図しています。
【００７２】
本明細書および図面は、制限的なものではなく、例示的な方法で考慮されるべきであり、ここに記載されたすべての変更は、特許請求に記載された発明の範囲に含まれることを意図している。したがって、本発明の範囲は、単に上述の例だけではなく、添付の特許請求の範囲（現在存在するもの、後に修正または追加されたもの、およびそれらの法的等価物）によって決定されるべきである。任意の方法又はプロセスの、請求項に記載されたステップは、他に明示されていない限り、任意の順序で実行することができ、任意の請求項に提示されている特定の順序に限定されない。さらに、さらに、装置の特許請求の範囲に記載されている要素及び／又は構成要素は、本発明と実質的に同じ結果をもたらすために、様々な組み合わせで組み立てられ、又は、その他の方法で機能的に構成される。したがって、本発明は、特許請求の範囲に記載された特定の構成に限定されると解釈されるべきものではない。
【００７３】
ここで述べられている利点、その他の利点及び解決手段は、一部又はすべての請求項の、重要な、必要な又は本質的な、特徴もしくは構成要素として解釈されるものではない。
【００７４】
ここで使用されている「備える（構成する）」、「備えている（構成している）」という用語又はそのバリエーションは、要素の排他的ではない列挙を指すことを意図しており、本発明の任意の、装置、プロセス、方法、物品又は組成物は、要素の列挙を構成し、記載された要素のみを含むのではなく、本明細書に記載されているように、他の要素も含むことができる。特に明示しない限り、「からなっている」又は「で構成される」又は「で基本的に構成される」という用語の使用は、本発明の範囲をその後に挙げる、列挙された要素に限定することを意図しない。本発明の実施に使用される上述の、要素、材料又は構造の、他の組み合わせ及び／又は変更は、本発明の一般原則から逸脱することなく、当業者によって他の設計に変化又は適応させることができる。
【００７５】
上述の特許及び文献は、特に断りのない限り、本開示と矛盾しない範囲で、参照により本明細書に組み込まれる。
【００７６】
本発明の他の特徴及び実施態様は、添付の特許請求の範囲に記載されている。
【００７７】
さらに、本発明は、新規性、進歩性、産業上の利用可能性があると考えられる、本明細書、添付の特許請求の範囲及び／又は図面に記載された、すべての特徴の可能な組み合わせから構成されていると考えるべきものである。
【００７８】
本発明の追加の特徴および機能は、本明細書に添付された、特許請求の範囲及び／又は要約に記載されている。このような請求項及び／又は要約は、参照により、その全体が本明細書に組み込まれ、出願時の出願の一部とみなされるべきものである。ここに記載された本発明の実施形態は、複数の変形および修正が可能である。ここまで、本発明の特定の例示的な実施形態を示して説明したが、前述の開示には、広範囲の変更、修正及び置換が企図されている。上記の説明には多くの特定の詳細が含まれているが、これらは、本発明の範囲を制限するものとして解釈されるべきではなく、むしろ、その１つまたは別の好ましい実施形態を例示するものである。いくつかの例では、本発明のいくつかの特徴は、他の特徴の、対応する使用がなくても、採用することができる。したがって、上述の説明は広く解釈され、単に例示的なものとして理解されることが適切であり、本発明の要旨及び範囲は、本出願で最終的に公開される特許請求の範囲によってのみ制限される。
【図１】
2021531204.tif 000003
【図２】
2021531204.tif 000004
【図３】
2021531204.tif 000005
【図４Ａ】
2021531204.tif 000006
【図４Ｂ】
2021531204.tif 000007
【図５Ａ】
2021531204.tif 000008
【図５Ｂ】
2021531204.tif 000009
【図６Ａ】
2021531204.tif 000010
【図６Ｂ】
2021531204.tif 000011
【図６Ｃ】
2021531204.tif 000012
【図７】
2021531204.tif 000013
【図８Ａ】
2021531204.tif 000014
【図８Ｂ】
2021531204.tif 000015
【図９Ａ】
2021531204.tif 000016
【図９Ｂ】
2021531204.tif 000017
【図１０】
2021531204.tif 000018
【図１１】
2021531204.tif 000019
【手続補正書】
【提出日】令和3年3月23日(2021.3.23)
【手続補正１】
【補正対象書類名】特許請求の範囲
【補正対象項目名】全文
【補正方法】変更
【補正の内容】
【特許請求の範囲】
【請求項１】
少なくとも２つの浮遊可能な建築物構成要素によって構成された浮き領域であって、少なくとも２つの構成要素の内の少なくとも２つは、第１の正多角形底端部と、第２の正多角形カバーと、前記底端部から前記カバー端部まで基本的に共通の方向に延びてその内の水密の区画を取り囲む壁と、を有しており、前記壁は、一体的な取付要素を含んでおり、当該一体的な取付要素は、隣接する構成要素の、隣接する相補的な取付要素に対する、スライド取付用のダブテール及びダブテール溝を備えており、前記ダブテール溝は、前記底端部から前記カバー端部まで前記壁に沿って延びており、前記取付要素は、相互に連結されるとき、前記浮き領域が、波の上下の動きに追従できるように、（ａ）中間構成要素を使用することなく建築物構成要素の間の取付けを可能にし、また、（ｂ）前記浮遊可能な建築物構成要素が互いに垂直にスライドすることを可能にする、浮き領域。
【請求項２】
前記正多角形底部及び／又はカバーが、三角形、四角形、五角形及び六角形で構成される形態のリストの１つから選択される、請求項１に記載の浮き領域。
【請求項３】
少なくとも１つのカバーが、実質的にシームレスな表面を提供するように、前記ダブテール溝上に延びている、請求項１又は２に記載の浮き領域。
【請求項４】
少なくとも１つのカバー端部が、取外し可能であり、ダブテール溝上に延びてその中でのダブテールの動きを制限する、請求項１に記載の浮き領域。
【請求項５】
複数の浮遊可能な建築物構成要素が、隣接する浮遊可能な建築物構成要素に対して垂直に動く自由を制限するカバーによってそれぞれ個別に覆われている、請求項１に記載の浮き領域。
【請求項６】
複数の浮遊可能な建築物構成要素が、隣接する浮遊可能な建築物構成要素にロックされて、実質的に剛性の高い表面を提供する、請求項１に記載の浮き領域。
【請求項７】
前記浮遊可能な建築物構成要素の外面は、固着を最小化するための、ボス又は隆起部分を含んでいる、請求項１に記載の浮き領域。
【請求項８】
前記浮遊可能な建築物構成要素は、意図するペイロードに従って高さが異なり、でき上がった領域は、そのペイロードを運搬するとき、実質的に平坦な面を提供する、請求項１に記載の浮き領域。
【請求項９】
前記浮遊可能な建築物構成要素が、意図するペイロードに従って水又は任意の他の適切な材料が異なるレベルまで充填されることにより、でき上がった領域は、そのペイロードを運搬するとき、実質的に平坦な面を提供する、請求項１に記載の浮き領域。
【請求項１０】
前記浮遊可能な建築物構成要素が、互いの上部に意図するペイロードに従う複数の層に分けて重ねられることにより、でき上がった領域は、そのペイロードを運搬するとき、実質的に平坦な面を提供する、請求項１に記載の浮き領域。
【請求項１１】
前記浮遊可能な建築物構成要素の１つ以上には、バラストウェイトが取り付けられており、前記浮遊可能な建築物構成要素が水に入れられた後に直立した位置で安定している、請求項１に記載の浮き領域。
【国際調査報告】
2021531204.tif 000020
2021531204.tif 000021
2021531204.tif 000022
2021531204.tif 000023
2021531204.tif 000024